(57)【要約】【課題】  撮影に制限が設けられることのある場所での撮影を円滑に運営することのできる撮影装置及びサーバ装置を提供する。【解決手段】  撮影を管理するサーバ装置の管理下で、画像を撮影する撮影装置であって、被写体を撮影する撮影手段（１４）と、前記撮影手段で撮影した原画像からインデックス画像を作成するインデックス画像作成手段（１５）と、少なくとも前記インデックス画像を記憶する記憶手段（１６）と、前記サーバ装置（２）が送信する撮影を管理する撮影管理信号を受信する撮影管理信号受信手段（１２ａ）と、前記撮影管理信号に含まれる撮影許可レベル情報をもとに、前記原画像を前記記憶手段に記憶する態様を決定する画像記憶制御手段（１３、１０）とを有する撮影装置である。【選択図】図１
2006197118.tif 000002
【特許請求の範囲】
【請求項１】
撮影を管理するサーバ装置の管理下で、画像を撮影する撮影装置であって、
被写体を撮影する撮影手段と、
前記撮影手段で撮影した原画像からインデックス画像を作成するインデックス画像作成手段と、
少なくとも前記インデックス画像を記憶する記憶手段と、
前記サーバ装置が送信する撮影を管理する撮影管理信号を受信する撮影管理信号受信手段と、
前記撮影管理信号に含まれる撮影許可レベル情報をもとに、前記原画像を前記記憶手段に記憶する態様を決定する画像記憶制御手段と、
を有することを特徴とする撮影装置。
【請求項２】
前記画像記憶制御手段は、
前記原画像を処理する画像処理手段と、
前記撮影許可レベル情報に応じて、前記画像処理が前記原画像に施す処理を決定する画像処理制御手段とを更に有し、
前記画像処理手段は、前記画像処理制御手段が決定した画像処理を前記原画像に施し、
前記記憶手段は、前記画像処理手段が処理した原画像を記憶すること
を特徴とする請求項１に記載の撮影装置。
【請求項３】
前記サーバ装置と情報を送受信する通信手段を更に有し、
前記画像記憶制御手段は、
前記撮影許可レベル情報に応じて、前記撮影手段が撮影した原画像とそのインデックス画像とを前記記憶手段に記憶するか、又は前記原画像を前記通信手段で前記サーバ装置に送信し、前記原画像のインデックス画像を前記記憶手段に記憶するか、を決定することを特徴とする請求項１に記載の撮影装置。
【請求項４】
前記画像記憶制御手段は、前記撮影管理信号受信手段が前記撮影管理信号を受信していない時、又は受信した撮影許可レベル情報が撮影を禁止しているときは、前記撮影手段が撮影できないように制御することを特徴とする請求項１乃至３のうちいずれか１項に記載の撮影装置。
【請求項５】
前記画像記憶制御手段は、前記撮影管理信号受信手段が前記撮影管理信号を受信していないとき、又は受信した撮影許可レベル情報が撮影を禁止しているときには、前記撮影手段が撮影した原画像を前記記憶手段に記憶しないように制御することを特徴とする請求項１乃至３のうちいずれか１項に記載の撮影装置。
【請求項６】
受信した撮影許可レベル情報が撮影を制限しているときは、前記撮影手段が撮影した原画像を、前記通信手段により前記サーバ装置に送信することを特徴とする請求項３に記載の撮影装置。
【請求項７】
前記サーバに送信した前記原画像に対応して前記サーバから送信される原画像特定情報を受け取る原画像特定情報獲得手段と、
前記原画像特定情報を前記インデックス画像と対応付ける対応付け手段と
を更に備えたことを特徴とする請求項６に記載の撮影装置。
【請求項８】
前記記憶された複数のインデックス画像から少なくとも１つのインデックス画像を選択する選択手段と、
前記選択手段で選択したインデックス画像に対応付けられた原画像特定情報を前記サーバに送信する特定情報送信手段と、
前記原画像特定情報に対応して前記サーバ装置から送信される前記原画像を受信して前記記憶手段に記憶する原画像取得手段と
を備えたことを特徴とする請求項７に記載の撮影装置。
【請求項９】
前記記憶された複数のインデックス画像から少なくとも１つのインデックス画像を選択する選択手段と、
前記選択手段で選択したインデックス画像に対応付けられた原画像特定情報を抽出する抽出手段と、
抽出した前記原画像特定情報を、原画像の印刷を注文する情報に含めて前記サーバに送信することを特徴とする請求項７に記載の撮影装置。
【請求項１０】
前記原画像を特定する原画像特定情報を生成する原画像特定情報生成手段と、
前記原画像特定情報を前記インデックス画像と対応付ける対応付け手段と、
前記原画像特定情報を前記サーバ装置に送信し、この原画像特定情報に対応して前記サーバ装置から暗号化キーを取得する暗号化キー取得手段と、
前記サーバ装置から取得した暗号化キーにより前記原画像を暗号化する暗号化手段と、
前記暗号化された原画像を前記記憶装置に記憶する暗号化画像記憶手段と
を備えたことを特徴とする請求項１または２に記載の撮影装置。
【請求項１１】
前記記憶された複数のインデックス画像から少なくとも１つのインデックス画像を選択する選択手段と、
前記選択手段で選択したインデックス画像に対応付けられた原画像特定情報を抽出する抽出手段と、
前記原画像特定情報を前記サーバ装置に送信し、この原画像特定情報に対応して前記サーバ装置から送信される復号化キーを取得する復号化キー取得手段と、
前記復号化キーで暗号化された原画像を復号化する複合化手段と、
前記復号化された原画像を前記記憶装置に記憶する原画像記憶手段と
を備えたことを特徴とする請求項１０に記載の撮影装置。
【請求項１２】
撮影装置の撮影を管理するサーバ装置であって、
前記撮影装置と情報の送受信を行う第２の通信手段と、
前記撮影装置の利用者の情報及び利用者の利用情報を記憶する利用情報記憶手段と、
前記撮影装置の撮影機能を制御する撮影許可レベル情報を設定する許可レベル設定手段と、
前記許可レベル設定手段で設定した前記撮影許可レベル情報を含む撮影管理信号を送信する撮影管理信号送信手段と、
を有することを特徴とするサーバ装置。
【請求項１３】
前記第２の通信手段で受信した前記撮影装置が撮影した原画像を含む情報を記憶する第２の記憶手段を更に有することを特徴とする請求項１２に記載のサーバ装置。
【請求項１４】
前記撮影装置から送信される前記原画像を前記第２の記憶手段に記憶する原画像記憶手段と、
この原画像を特定する原画像特定情報を生成して前記撮影装置に送信する原画像特定情報送信手段と、
前記撮影装置から送信される原画像要求信号に含まれる前記原画像特定情報に基づいて、前記第２の記憶手段に記憶された前記原画像を抽出して前記撮影装置に送信する原画像送信手段と
を備えたことを特徴とする請求項９または１３に記載のサーバ装置。
【請求項１５】
前記撮影装置から送信される前記原画像に透かしを合成して前記第２の記憶手段に記憶する透かし合成手段を更に備えたことを特徴とする請求項１３又は１４に記載のサーバ装置。
【請求項１６】
前記撮影装置から前記原画像と共に前記撮影許可レベル情報を受信し、この撮影許可レベル情報に応じて前記原画像を縮小処理する縮小手段を更に備えたことを特徴とする請求項１３乃至１５の内いずれか１項に記載のサーバ装置。
【請求項１７】
外部のサーバと通信する第３の通信手段をさらに有し、
前記撮影装置から送信された原画像の印刷を注文する情報に含まれる原画像特定情報に応じて前記第２の記憶手段に記憶されている原画像を特定し、
特定された原画像と前記原画像の印刷を注文する情報と前記利用者の情報とを、前記印刷サーバに送信することを特徴とする請求項１３に記載のサーバ装置。
【請求項１８】
暗号キー及びこの暗号キーに対応する復号キーを生成する暗号キー生成手段と、
前記撮影装置からの暗号キー要求に応じて前記暗号キー生成手段で生成した暗号キーを前記撮影装置に送信する暗号化キー送信手段と、
前記撮影装置から、前記暗号化キー送信手段が送信した暗号キーに対応する復号キー要求を受信したときは、前記暗号キーに対応する復号キーを送信する復号キー送信手段と
を備えたこと特徴とする請求項１２に記載のサーバ装置。
【請求項１９】
前記復号化キーの送信、前記第２の記憶手段に記憶した原画像の送信、前記印刷注文の送信の少なくとも１つに応じて、前記利用情報記憶手段に利用情報を記憶する利用情報記憶手段を更に備えたことを特徴とする請求項１２、１３、１４、１８の内いずれか１項に記載のサーバ装置。
【請求項２０】
前記撮影装置の利用者を登録する利用者登録手段を更に有し、
前記利用者登録手段は、前記利用者の情報を取得することを特徴とする請求項１２乃至１９の内いずれか１項に記載のサーバ装置。
【発明の詳細な説明】
【技術分野】
【０００１】
本発明は、撮影装置及びサーバ装置に関し、特に撮影に制限が設けられることのある場所での撮影を円滑に運営するための技術に関する。
【背景技術】
【０００２】
コンサート会場あるいはイベント会場では、原則として撮影が禁止され、また会場内へのカメラの持ち込みも禁止されている場合が多い。しかし、主催者側のこの措置に対して不満を抱いている観客も多く、撮影禁止の規則に従わない場合も見られている。
【０００３】
そこで、観客の所有するカメラに利用を制限する信号を送信して確実に撮影を禁止する技術（例えば、特許文献１参照）、カメラサーバが撮影画像の保存を制限する技術（例えば、特許文献２参照）が開示されている。
【特許文献１】特開２０００−３３３２６６号公報
【特許文献２】特開２０００−３５４１８８号公報
【発明の開示】
【発明が解決しようとする課題】
【０００４】
ところで、撮影を制限する理由の１つとして、著作権やプライバシの保護を図ることが挙げられるが、全てのイベントがこの理由で撮影を禁止している訳ではない。イベントの主催者は、もし撮影の対価が支払われるのであれば撮影を許可しても良いが、その際、撮影を柔軟に許可する適当な方法がないため撮影を禁止している場合が多い。
【０００５】
しかしながら、特許文献１、２に開示された技術は、カメラの使用を禁止する技術に関するものであり、撮影を積極的に許可するための技術を提供するものではない。
【０００６】
本発明は、かかる事情に鑑みてなされたものであり、撮影に制限が設けられることのある場所での撮影を円滑に運営することのできる撮影装置及びサーバ装置を提供することを目的とする。
【課題を解決するための手段】
【０００７】
上記課題を解決するための、本発明に係る請求項１に記載の撮影装置は、撮影を管理するサーバ装置の管理下で、画像を撮影する撮影装置であって、被写体を撮影する撮影手段と、前記撮影手段で撮影した原画像からインデックス画像を作成するインデックス画像作成手段と、少なくとも前記インデックス画像を記憶する記憶手段と、前記サーバ装置が送信する撮影を管理する撮影管理信号を受信する撮影管理信号受信手段と、前記撮影管理信号に含まれる撮影許可レベル情報をもとに、前記原画像を前記記憶手段に記憶する態様を決定する画像記憶制御手段と、を有する。
【０００８】
また本発明に係る請求項２に記載の撮影装置は、上記記載の発明である撮影装置において、前記画像記憶制御手段は、前記原画像を処理する画像処理手段と、前記撮影許可レベル情報に応じて、前記画像処理が前記原画像に施す処理を決定する画像処理制御手段とを更に有し、前記画像処理手段は、前記画像処理制御手段が決定した画像処理を前記原画像に施し、前記記憶手段は、前記画像処理手段が処理した原画像を記憶する。
【０００９】
また本発明に係る請求項３に記載の撮影装置は、上記記載の発明である撮影装置において、前記サーバ装置と情報を送受信する通信手段を更に有し、前記画像記憶制御手段は、前記撮影許可レベル情報に応じて、前記撮影手段が撮影した原画像とそのインデックス画像とを前記記憶手段に記憶するか、又は前記原画像を前記通信手段で前記サーバ装置に送信し、前記原画像のインデックス画像を前記記憶手段に記憶するか、を決定する。
【００１０】
また本発明に係る請求項４に記載の撮影装置は、上記記載の発明である撮影装置において、前記画像記憶制御手段は、前記撮影管理信号受信手段が前記撮影管理信号を受信していない時、又は受信した撮影許可レベル情報が撮影を禁止しているときは、前記撮影手段が撮影できないように制御する。
【００１１】
また本発明に係る請求項５に記載の撮影装置は、上記記載の発明である撮影装置において、前記画像記憶制御手段は、前記撮影管理信号受信手段が前記撮影管理信号を受信していないとき、又は受信した撮影許可レベル情報が撮影を禁止しているときには、前記撮影手段が撮影した原画像を前記記憶手段に記憶しないように制御する。
【００１２】
また本発明に係る請求項６に記載の撮影装置は、上記記載の発明である撮影装置において、受信した撮影許可レベル情報が撮影を制限しているときは、前記撮影手段が撮影した原画像を、前記通信手段により前記サーバ装置に送信する。
【００１３】
また本発明に係る請求項７に記載の撮影装置は、上記記載の発明である撮影装置において、前記サーバに送信した前記原画像に対応して前記サーバから送信される原画像特定情報を受け取る原画像特定情報獲得手段と、前記原画像特定情報を前記インデックス画像と対応付ける対応付け手段とを更に備えた。
【００１４】
また本発明に係る請求項８に記載の撮影装置は、上記記載の発明である撮影装置において、前記記憶された複数のインデックス画像から少なくとも１つのインデックス画像を選択する選択手段と、前記選択手段で選択したインデックス画像に対応付けられた原画像特定情報を前記サーバに送信する特定情報送信手段と、前記原画像特定情報に対応して前記サーバ装置から送信される前記原画像を受信して前記記憶手段に記憶する原画像取得手段とを備えた。
【００１５】
また本発明に係る請求項９に記載の撮影装置は、上記記載の発明である撮影装置において、前記記憶された複数のインデックス画像から少なくとも１つのインデックス画像を選択する選択手段と、前記選択手段で選択したインデックス画像に対応付けられた原画像特定情報を抽出する抽出手段と、抽出した前記原画像特定情報を、原画像の印刷を注文する情報に含めて前記サーバに送信する。
【００１６】
また本発明に係る請求項１０に記載の撮影装置は、上記記載の発明である撮影装置において、前記原画像を特定する原画像特定情報を生成する原画像特定情報生成手段と、前記原画像特定情報を前記インデックス画像と対応付ける対応付け手段と、前記原画像特定情報を前記サーバ装置に送信し、この原画像特定情報に対応して前記サーバ装置から暗号化キーを取得する暗号化キー取得手段と、前記サーバ装置から取得した暗号化キーにより前記原画像を暗号化する暗号化手段と、前記暗号化された原画像を前記記憶装置に記憶する暗号化画像記憶手段とを備えた。
【００１７】
また本発明に係る請求項１１に記載の撮影装置は、上記記載の発明である撮影装置において、前記記憶された複数のインデックス画像から少なくとも１つのインデックス画像を選択する選択手段と、前記選択手段で選択したインデックス画像に対応付けられた原画像特定情報を抽出する抽出手段と、前記原画像特定情報を前記サーバ装置に送信し、この原画像特定情報に対応して前記サーバ装置から送信される復号化キーを取得する復号化キー取得手段と、前記復号化キーで暗号化された原画像を復号化する複合化手段と、前記復号化された原画像を前記記憶装置に記憶する原画像記憶手段とを備えた。
【００１８】
また本発明に係る請求項１２に記載のサーバ装置は、撮影装置の撮影を管理するサーバ装置であって、前記撮影装置と情報の送受信を行う第２の通信手段と、前記撮影装置の利用者の情報及び利用者の利用情報を記憶する利用情報記憶手段と、前記撮影装置の撮影機能を制御する撮影許可レベル情報を設定する許可レベル設定手段と、前記許可レベル設定手段で設定した前記撮影許可レベル情報を含む撮影管理信号を送信する撮影管理信号送信手段と、を有する。
【００１９】
また本発明に係る請求項１３に記載のサーバ装置は、上記記載の発明であるサーバ装置であって、前記第２の通信手段で受信した前記撮影装置が撮影した原画像を含む情報を記憶する第２の記憶手段を更に有する。
【００２０】
また本発明に係る請求項１４に記載のサーバ装置は、上記記載の発明であるサーバ装置であって、前記撮影装置から送信される前記原画像を前記第２の記憶手段に記憶する原画像記憶手段と、この原画像を特定する原画像特定情報を生成して前記撮影装置に送信する原画像特定情報送信手段と、前記撮影装置から送信される原画像要求信号に含まれる前記原画像特定情報に基づいて、前記第２の記憶手段に記憶された前記原画像を抽出して前記撮影装置に送信する原画像送信手段とを備えた。
【００２１】
また本発明に係る請求項１５に記載のサーバ装置は、上記記載の発明であるサーバ装置であって、前記撮影装置から送信される前記原画像に透かしを合成して前記第２の記憶手段に記憶する透かし合成手段を更に備えた。
【００２２】
また本発明に係る請求項１６に記載のサーバ装置は、上記記載の発明であるサーバ装置であって、前記撮影装置から前記原画像と共に前記撮影許可レベル情報を受信し、この撮影許可レベル情報に応じて前記原画像を縮小処理する縮小手段を更に備えた。
【００２３】
また本発明に係る請求項１７に記載のサーバ装置は、上記記載の発明であるサーバ装置であって、外部のサーバと通信する第３の通信手段をさらに有し、前記撮影装置から送信された原画像の印刷を注文する情報に含まれる原画像特定情報に応じて前記第２の記憶手段に記憶されている原画像を特定し、特定された原画像と前記原画像の印刷を注文する情報と前記利用者の情報とを、前記印刷サーバに送信する。
【００２４】
また本発明に係る請求項１８に記載のサーバ装置は、上記記載の発明であるサーバ装置であって、暗号キー及びこの暗号キーに対応する復号キーを生成する暗号キー生成手段と、前記撮影装置からの暗号キー要求に応じて前記暗号キー生成手段で生成した暗号キーを前記撮影装置に送信する暗号化キー送信手段と、前記撮影装置から、前記暗号化キー送信手段が送信した暗号キーに対応する復号キー要求を受信したときは、前記暗号キーに対応する復号キーを送信する復号キー送信手段とを備えた。
【００２５】
また本発明に係る請求項１９に記載のサーバ装置は、上記記載の発明であるサーバ装置であって、前記復号化キーの送信、前記第２の記憶手段に記憶した原画像の送信、前記印刷注文の送信の少なくとも１つに応じて、前記利用情報記憶手段に利用情報を記憶する利用情報記憶手段を更に備えた。
【００２６】
また本発明に係る請求項２０に記載のサーバ装置は、上記記載の発明であるサーバ装置であって、前記撮影装置の利用者を登録する利用者登録手段を更に有し、前記利用者登録手段は、前記利用者の情報を取得する。
【発明の効果】
【００２７】
本発明によれば、撮影に制限が設けられることのある場所での撮影を円滑に運営することができる。
【発明を実施するための最良の形態】
【００２８】
［第１の実施の形態］
本発明の実施の形態に係る撮影装置とサーバ装置について説明する。なお、本実施の形態では、撮影装置はデジタルカメラを例として、サーバ装置は管理サーバを例として説明する。
【００２９】
図１は、本発明の実施の形態の撮影装置とサーバ装置を備えた撮影管理システムの基本構成例を示すブロック図である。
【００３０】
撮影管理システムは、デジタルカメラ１及び管理サーバ２で構成されている。
【００３１】
デジタルカメラ１には、コントローラ１０、カメラＩＤメモリ部１１、受信部１２ａ、通信部１２ｂ、許可レベル判定部１３、撮像部１４、縮小画像生成部１５、画像メモリ部１６、表示部１７、操作部１８及びプログラムメモリ１９が設けられている。
【００３２】
コントローラ１０は、デジタルカメラ１の動作を統括的に制御する。カメラＩＤメモリ部１１は、デジタルカメラを特定するＩＤ情報を保存する。通信部１２ｂは、管理サーバ２との間で情報の授受を行う通信インターフェースである。受信部１２ａは、管理サーバ２より撮影を管理する信号である撮影管理信号を受信する。許可レベル判定部１３は、受信部１２ａが受信した管理サーバ２から送信される撮影管理信号に含まれる許可レベルを判定してコントローラ１０に出力する。
【００３３】
撮像部１４は、被写体像を撮影してその画像データを生成する。縮小画像生成部１５は、撮影した画像データのインデックスデータとしてのサムネール画像を生成する。画像メモリ１６は、サムネール画像などを保存する。表示部１７は、画像などを表示する液晶ディスプレイである。操作部１８は、ユーザからの操作指示入力を受取るための操作ボタン等の入力デバイスである。プログラムメモリ１９は、デジタルカメラ１で動作するプログラムを保存する。
【００３４】
管理サーバ２には、コントローラ３０、許可レベル設定部３１、許可信号生成部３２、送信部３３ａ、通信部３３ｂ、管理ＩＤ生成部３４、画像情報ＤＢ部３５、管理ＤＢ部３６及びプログラムメモリ部３７が設けられている。
【００３５】
コントローラ３０は、管理サーバ２の動作を統括的に制御する。許可レベル設定部３１は、デジタルカメラ１の撮影画像の画像メモリ部１６への記憶の許可レベルを設定する。許可信号生成部３２は、設定された許可レベルに対応してデジタルカメラ１に指示する撮影管理信号を生成する。通信部３３ｂは、デジタルカメラ１との間で情報の授受を行う通信インターフェースである。送信部３３ａは、デジタルカメラ２に撮影を管理する信号である撮影管理信号を送信する。管理ＩＤ生成部３４は、デジタルカメラ１から送信された画像を特定するための管理ＩＤ情報を生成する。画像情報ＤＢ部３５は、デジタルカメラ１から送信された画像を保存する。管理ＤＢ部３６は、管理ＩＤ情報など画像を管理するための情報を保存する。プログラムメモリ部３７は、管理サーバ２で動作するプログラムを保存する。
【００３６】
ここで、管理サーバ２の送信部３３ａからデジタルカメラ１の受信部２ａへは、一方向に信号が伝送されるが、管理サーバ２の通信部３３ａとデジタルカメラ１の通信部２ｂとは、双方向に情報の送受信が行われる。これら２系統の通信の回線は、物理的に分離されている必要は無い。
【００３７】
次に、撮影管理システムの撮影動作の概要を説明する。この撮影動作では、デジタルカメラ１が撮影した画像は管理サーバ２に転送されて保存される。
【００３８】
管理サーバ２では、撮影管理側により撮影許可レベルが設定される。ここで、撮影許可レベルには、撮影許可、撮影不許可、制限許可の３つのレベルがある。許可信号生成部３２は、許可レベルを表す許可レベルコードを含む撮影管理信号を生成して送信部３３ａを介してデジタルカメラ１に送信する。
【００３９】
デジタルカメラ１では、許可レベル判定部１３が、受信した情報から許可レベルを判定する。そして、撮影許可の場合は、撮影者の撮像部１８の撮影操作により撮像部１４が撮影して得た画像データを通信部１２ｂを介して管理サーバ２に送信する。即ち、デジタルカメラ１内には、撮影画像は保存されない。但し、デジタルカメラ１では、縮小画像生成部１５が、画像データのサムネール画像を生成する。
【００４０】
管理サーバ２では、受信した画像データをコントローラ３０が画像情報ＤＢ３５に保存する。また、管理ＩＤ生成部３４が、受信した画像データを特定するための管理ＩＤ情報を作成して管理ＤＢ部３６に保存すると共に、その管理ＩＤ情報を通信部３３ｂを介してデジタルカメラ１に送信する。
【００４１】
デジタルカメラ１では、コントローラ１０が通信部１２ｂが受信した管理ＩＤ情報と縮小画像生成部１５で生成されたサムネール画像とを対応付けて画像メモリ１６に保存する。
【００４２】
一方、デジタルカメラ１の受信部１２ａが”撮影不許可”の許可コードを含む信号を受信した場合は、撮影者が操作部１８で撮影操作を行っても、撮影部１４による撮影は行われない。また、”撮影許可”の場合にはデジタルカメラ１で撮影した画像はそのまま画像メモリ部１６へ記憶し、受信部１２ａで受信した撮影管理信号が”制限許可”の場合に、デジタルカメラ１で撮影した画像を管理サーバ２に送信してそのサーバで記憶するようにしてもよい。
【００４３】
図２は、印刷注文可能な撮影管理システムの構成例を示すブロック図である。
【００４４】
この印刷注文可能な構成例は、図１に示す基本構成例と同じであるが、管理サーバ２に通信部３８が設けられている点のみが異なっている。この通信部３８は、外部システムである印刷ラボと通信を行うための通信インターフェースである。
【００４５】
次に、図２の撮影管理システムの印刷注文動作の概要について説明する。なお、図１の基本構成例で説明した撮影動作によりデジタルカメラ１で撮影された画像は、管理サーバ２に記憶されているものとする。この印刷注文動作では、デジタルカメラ１が管理サーバ２に対して保存されている画像を印刷するように指示する。
【００４６】
管理サーバ２は、デジタルカメラ１からの要求に応じて、印刷注文票をデジタルカメラ１に返送する。
【００４７】
デジタルカメラ１では、送信された注文票がサムネール画像と共に表示部１７に表示される。そこで、ユーザは、サムネール画像を参照して、印刷を希望する画像を選択する。そして、印刷を希望する画像の管理ＩＤ情報を注文票とともに通信部３３ｂを介して管理サーバ２に送信する。
【００４８】
管理サーバ２では、コントローラ３０が、管理ＩＤ情報をもとに画像を特定し、その画像を印刷してユーザに提供するように印刷ラボに指示する。
【００４９】
図３は、画像処理可能な撮影管理システムの構成例を示すブロック図である。
【００５０】
画像処理可能な構成は、図１に示す基本構成例と同じであるが、管理サーバ２に画像処理部３９が設けられている点のみが異なっている。この画像処理部３９は、画像データに縮小化あるいは透かし合成などの画像処理を施す。
【００５１】
次に、図３の撮影管理システムの画像処理動作について説明する。この画像処理動作では、デジタルカメラ１が撮影した画像を管理サーバ２が画像処理を行った後保存する。
【００５２】
この処理は、例えば、管理側が定めたサイズ以下の小さい画像のみの撮影を許可する場合、あるいは、このイベントで撮影したことを明示するためにロゴマークを付加した合成画像を提供する場合などに実行される処理である。
【００５３】
図４は、画像を暗号化可能な撮影管理システムの構成例を示すブロック図である。また、この構成例では、デジタルカメラ１で透かし合成の画像処理を実行する。
【００５４】
この画像を暗号化可能な構成例は、図１に示す基本動作時の構成と同じであるが、デジタルカメラ１に、画像ＩＤ生成部２０、画像処理部２１及び暗号・復号部２２が更に設けられ、管理サーバ２に、透かし生成部４０及び暗号・復号キー生成部４１が更に設けられている点が異なっている。
【００５５】
次に、図４の撮影管理システムの画像暗号化処理動作の概要について説明する。この画像暗号化処理動作では、デジタルカメラ１が撮影した画像は暗号化して保存する。
【００５６】
デジタルカメラ１では、画像ＩＤ生成部２０が、撮影した画像を特定するための画像ＩＤ情報を作成し、その画像ＩＤ情報を通信部１２ｂを介して管理サーバ２に送信する。管理サーバ２では、透かし生成部４０が透かし情報を生成し、暗号・復号部キー生成部４１が暗号キーを作成して、これらの情報をデジタルカメラ１に送信するとともに、暗号キーに対応する復号キーを管理ＤＢ部３６に記憶する。デジタルカメラ１では、画像処理部２１が画像データと受信した透かし情報を合成し、暗号・復号部２２が、暗号キーに基づいて合成された画像を暗号化する。そして、暗号化された画像を画像メモリ１６に保存する。
【００５７】
一方、復号化する場合は、デジタルカメラ１は、復号したい画像の画像ＩＤ情報を管理サーバ２に送信する。管理サーバ２では、暗号・復号部キー生成部４１が、画像ＩＤ情報に基づいてその画像を復号するための復号キーを管理ＤＢ３６から読み出してデジタルカメラ１に送信する。デジタルカメラ１では、暗号・復号部２２が、復号キーに基づいて画像を復号する。
【００５８】
なお、図２〜図４において、デジタルカメラ１の受信部１２ａが”撮影不許可”の許可コードを含む信号を受信した場合は、撮影者が操作部１８で撮形操作を行っても、撮影部１４による撮影は行われない。また、図２〜図３では、”撮影許可”の場合にはデジタルカメラ１で撮影した画像はそのまま画像メモリ部１６へ記憶し、受信部１２ａで受信した撮影管理信号が”制限許可”の場合に、デジタルカメラ１で撮影した画像を管理サーバ２に送信してそのサーバで記憶するようにしてもよい。
【００５９】
更に、図４では、”撮影許可”の場合にはデジタルカメラ１で撮影した画像は暗号化せずにそのまま画像メモリ部１６へ記憶し、受信部１２ａで受信した撮影管理信号が”制限許可”の場合に、撮影した画像を暗号化して画像メモリ１６に記憶するようにしてもよい。
【００６０】
また、図３では、”撮影許可”の場合にはデジタルカメラ１で撮影した画像は管理サーバ２に送信されてもそのサーバで画像処理されずに記憶し、一方、受信部１２ａで受信した撮影管理信号が”制限許可”の場合にば、デジタルカメラ１で撮影された画像が、管理側が設定した制限サイズより大きい場合には、縮小処理により制限サイズ以下に縮小されたり、管理側が設定したロゴを合成するなどの画像処理が加えられてサーバに記憶されるようにしてもよい。
【００６１】
なお、撮影許可レベルは、”撮影許可”、”制限撮影”、”撮影不許可”の３段階以外のレベルがあっても良い。例えば”自由撮影”と”制限撮影”の２つのレベルのみでもよいし、”自由撮影”、”印刷限定”、”会員印刷限定”、”撮影禁止”など、４つ以上のレベルがあってもよい。ここで、印刷限定とは画像データは取得できないが、写真としては取得できることであり、会員印刷限定とは、会員のみが写真として画像が取得できることを意味している。
【００６２】
続いて、上述の動作を実現するためのデジタルカメラ１と管理サーバ２との主な処理手順について図５〜図１３を参照しつつ説明する。なお、以下に説明する処理は、デジタルカメラと管理サーバとが有する処理機能の内主なものである。従って、以下の説明に記載されていない機能であっても、図１乃至図４の説明に記載された機能は本処理機能に含まれる。
【００６３】
図５は、ユーザが利用者として登録を受け、画像を撮影し、更に撮影した画像を購入するまでの処理手順を示すフロー図である。
【００６４】
ステップＳ０１において、ユーザは利用者として登録を受けるために利用者登録・カメラＩＤ発行処理（図６）を実行する。
【００６５】
図６のステップＴ０１において、ユーザは撮影管理システムの管理サーバに対して利用者登録を受けたい旨の要求を送信すると、管理サーバ２では、ステップＰ０１〜Ｐ０２において、利用者情報入力ページを生成して、そのページをデジタルカメラに送信する。
【００６６】
ステップＴ０２〜Ｔ０３において、ユーザは、表示部１７に表示された利用者情報入力ページに必要な情報を入力し、その利用者情報を管理サーバ２に送信する。
【００６７】
ステップＰ０３〜Ｐ０５において、コントローラ３０は、デジタルカメラ１を識別するためのカメラＩＤを発行し、そのカメラＩＤと利用者情報とを管理ＤＢ部３６に登録する。そして、そのカメラＩＤをデジタルカメラ１に送信し、ステップＴ０４において、コントローラ１０は、カメラＩＤをカメラＩＤメモリ部１１に保存してリターンする。
【００６８】
図５に戻り、これ以降、ユーザはデジタルカメラ１を用いて撮影を行うことができる。即ち、ユーザは、ステップＳ０２に示す撮影・画像保存処理（図７、図８）を実行することができる。
【００６９】
図７の、ステップＰ１０〜Ｐ１１において、管理サーバ２の許可レベル設定部３１は、管理側の操作者の設定操作に基づいて入力された撮影許可レベルを獲得する。そして、設定された許可レベルのコードを含む撮影管理信号の送信を開始する。
【００７０】
ここで、撮影許可レベルは次のように分類されている。（１）撮影禁止：撮影は禁止され、一切撮影をすることができない。（２）自由撮影：利用者登録の有無に関係なく自由に撮影することができる。（３）制限撮影：利用者登録したユーザはある制限された条件下で撮影が認められる。例えば、印刷された画像のみ購入できたり、取得できる画像のサイズに制限が設けられたり、あるいは、特定の透かし画像と合成した画像として提供される等である。
【００７１】
そして、この許可レベルは、任意のタイミングで設定し、変更することができる。したがって、管理サーバの管理者は、イベントの進行に合わせて、許可レベルを設定することによって、デジタルカメラ１の撮影動作を制御することができる。
【００７２】
一方、ユーザは、ステップＴ１０において、デジタルカメラ１を操作して、撮影管理信号を受信可能な状態に設定する。これによって、許可レベル判定部１３が、管理サーバ２から受信した撮影管理信号から許可レベルを取り出してコントローラ１０に出力する。
【００７３】
ステップＴ１１〜Ｔ１２において、コントローラ１０は、シャッタボタンが押されたことを検出したときは、撮影管理信号を受信中かどうかを調べる。ステップＴ１２でＮｏの場合、即ち、撮影管理信号を受信中でない場合は、ステップＴ１３において、撮影ができない旨を表示部１７に表示して撮影を中止する。
【００７４】
ステップＴ１２でＹｅｓの場合、即ち、撮影管理信号を受信中の場合は、ステップＴ１４〜Ｔ１５において、撮影動作を実行して、撮影した画像（原画像）からサムネール画像を生成する。そして、ステップＴ１６において、撮影許可レベルを調べる。
【００７５】
ステップＴ１６において、撮影許可レベルが撮影禁止の場合は、ステップＴ１７において撮影画像とサムネール画像を削除し、ステップＴ１３において、撮影ができない旨を表示部１７に表示して撮影を中止する。
【００７６】
ステップＴ１６において、撮影許可レベルが自由撮影の場合は、図８のステップＴ２１において、原画像とサムネール画像とを画像メモリに記憶してリターンする。
【００７７】
ステップＴ１６において、撮影許可レベルが制限撮影の場合は、図８のステップＴ１８〜Ｔ１９において、カメラＩＤを読み出して、カメラＩＤ、撮影許可レベル、原画像を管理サーバ２に送信する。
【００７８】
図８のステップＰ１５において、管理サーバ２のコントローラ３０は、カメラＩＤを認証して登録されているカメラＩＤかどうかを調べる。そして、ステップＰ１６〜Ｐ１７において、撮影許可レベルが画像サイズを制限するものである場合は、原画像を所定のサイズにまで縮小する。
【００７９】
ステップＰ１９〜Ｐ２０において、画像ＩＤを生成し、原画像と撮影許可レベルを画像ＩＤと関連付けて画像情報ＤＢ３５に記憶する。そして、ステップＰ２１〜Ｐ２２において、画像購入金額情報と画像ＩＤとをデジタルカメラ１に送信する。
【００８０】
デジタルカメラ１では、サムネール画像と画像ＩＤと画像購入金額情報とを関連付けて画像メモリ１６に記憶してリターンする。
【００８１】
図５に戻り、ユーザが撮影した画像の購入を希望するときは、ステップＳ０３の撮影画像購入処理（図９）を実行する。
【００８２】
図９のステップＴ２５〜Ｔ２６において、コントローラ１０は、サムネール画像と画像購入金額情報とを読み出して、それらを表示部１７に表示する。ステップＴ２７〜Ｔ２９において、ユーザがサムネール画像を指定して、購入を操作したときは、コントローラ１０は、カメラＩＤを読み出して、カメラＩＤと選択した画像の画像ＩＤとを管理サーバ２に送信する。
【００８３】
管理サーバ２のコントローラ３０は、ステップＰ２５において、カメラＩＤを認証して登録されているカメラＩＤかどうかを調べる。そして、ステップＰ２６〜Ｐ２７において、画像ＩＤに対応する原画像を読み出し、画像ＩＤと原画像をデジタルカメラ１に送信する。デジタルカメラ１は、ステップＴ３０において、送信された原画像とサムネール画像とを関連付けて画像メモリ１６に記憶する。この処理手順によって、ユーザは原画像を手に入れることができる。
【００８４】
一方、管理サーバ２では、課金処理を実行する。即ち、ステップＰ２８〜Ｐ３０において、画像購入合計金額を計算して、その金額を利用者の決済口座番号から引き落とす。そして、ステップＰ３１〜Ｐ３３において、領収書を作成してデジタルカメラ１に送信し、売り上げ情報を管理ＤＢ３６に記憶する。
【００８５】
デジタルカメラ１は、ステップＴ３１において、送信された領収書を保存して、リターンする。
【００８６】
次に、図５のステップＳ０３に示す撮影画像の購入処理に替えて、印刷を注文する処理手順（図１０）について説明する。
【００８７】
図１０のステップＴ３５〜Ｔ３６において、デジタルカメラ１のコントローラ１０は、カメラＩＤメモリ部１１からカメラＩＤを読み出し、このカメラＩＤと共に、管理サーバ２に対して印刷注文情報要求を送信する。
【００８８】
ステップＰ３５〜Ｐ３７において、管理サーバ２のコントローラ３０は、カメラＩＤを認証して登録されているカメラＩＤかどうかを調べる。そして、印刷注文画面を読み出して、その画面をデジタルカメラ１に送信する。
【００８９】
デジタルカメラ１では、ステップＴ３７〜Ｔ３８において、サムネール画像を読み出して、送信された印刷注文画面と合成して表示部１７に表示する。ステップＴ３９〜Ｔ４１において、ユーザがサムネール画像を指定して、印刷注文を操作したときは、コントローラ１０は、印刷注文データを生成して、選択した画像の画像ＩＤと共に管理サーバ２に送信する。
【００９０】
管理サーバ２では、ステップＰ３８〜Ｐ４１において、画像ＩＤに対応する原画像を読み出し、印刷注文データから印刷要求を生成し、カメラＩＤに基づいて利用者登録情報を読み出す。そして、これらの原画像、印刷要求、利用者の住所情報を印刷ラボに送信する。
【００９１】
続いて、管理サーバ２では、課金処理を実行する。即ち、ステップＰ４２〜Ｐ４４において、印刷料金を計算して、その金額を利用者の決済口座番号から引き落とす。そして、ステップＰ４５〜Ｐ４７において、領収書を作成してデジタルカメラ１に送信し、売り上げ情報を管理ＤＢ３６に記憶する。
【００９２】
デジタルカメラ１は、ステップＴ４２において、送信された領収書を保存して、リターンする。
【００９３】
次に、図５のステップＳ０２に示す撮影画像のサーバによる保存処理に替えて、撮影画像を暗号化してデジタルカメラ１に保存する処理手順（図１１、図１２）、及び暗号化した画像を復号する処理手順（図１３）について説明する。
【００９４】
図１１の、ステップＰ５０〜Ｐ５１において、管理サーバ２の許可レベル設定部３１は、管理側の操作者の設定操作に基づいて入力された撮影許可レベルを獲得する。そして、設定された許可レベルのコードを含む撮影管理信号の送信を開始する。
【００９５】
ここで、撮影許可レベルには次のような分類がされている。（１）撮影禁止：撮影は禁止され、一切撮影をすることができない。（２）自由撮影：利用者登録の有無に関係なく自由に撮影することができる。（３）制限撮影：利用者登録したユーザはある制限された条件下で撮影が認められる。例えば、印刷できる画像のサイズに制限が設けられる、あるいは、特定の透かし画像と合成した画像として提供される等である。
【００９６】
そして、この許可レベルは、任意のタイミングで設定し、変更することができる。したがって、管理サーバの管理者は、イベントの進行に合わせて、許可レベルを設定することによって、デジタルカメラ１の撮影動作を制御することができる。
【００９７】
一方、ユーザは、ステップＴ５０において、デジタルカメラ１を操作して、撮影管理信号を受信可能な状態に設定する。これによって、許可レベル判定部１３が、管理サーバ２から受信した撮影管理信号から許可レベルを取り出してコントローラ１０に出力する。
【００９８】
ステップＴ５１〜Ｔ５２において、コントローラ１０は、シャッタボタンが押されたことを検出したときは、撮影管理信号を受信中かどうかを調べる。ステップＴ５２でＮｏの場合、即ち、撮影管理信号を受信中でない場合は、ステップＴ５３において、撮影ができない旨を表示部１７に表示して撮影を中止する。
【００９９】
ステップＴ５２でＹｅｓの場合、即ち、撮影管理信号を受信中の場合は、ステップＴ５４〜Ｔ５５において、撮影動作を実行して、撮影した画像（原画像）からサムネール画像を生成する。そして、ステップＴ５６において、撮影許可レベルを調べる。
【０１００】
ステップＴ５６において、撮影許可レベルが撮影禁止の場合は、ステップＴ５７において、撮影画像とサムネール画像を削除し、ステップＴ５３において、撮影ができない旨を表示部１７に表示して撮影を中止する。
【０１０１】
ステップＴ５６において、撮影許可レベルが自由撮影の場合は、図１２のステップＴ６４において、原画像とサムネール画像とを画像メモリに記憶してリターンする。
【０１０２】
ステップＴ５６において、撮影許可レベルが制限撮影の場合は、図１２のステップＴ５８〜Ｔ６０において、画像ＩＤを生成し、カメラＩＤを読み出して、このカメラＩＤと画像ＩＤと共に暗号化キー要求を管理サーバ２に送信する。
【０１０３】
図１２のステップＰ５５において、管理サーバ２のコントローラ３０は、カメラＩＤを認証して登録されているカメラＩＤかどうかを調べる。そして、ステップＰ５６〜Ｐ５７において、透かしデータを生成し、さらに暗号キーと復号キーを生成する。続いて、ステップＰ５８〜Ｐ６０において、画像購入金額情報を読み出して、暗号キー、透かしデータ、画像購入金額情報をデジタルカメラ１に送信する。そして、復号キーをカメラＩＤ及び画像ＩＤと関連付けて保存する。
【０１０４】
デジタルカメラ１では、ステップＴ６１〜Ｔ６３において、送信された透かしデータと原画像を合成し、合成した画像を暗号キーを用いて暗号化する。そして、画像ＩＤ、暗号化された原画像、サムネール画像及び画像購入金額情報を関連付けて保存してリターンする。
【０１０５】
その後、利用者が撮影した画像の購入を希望したときは、暗号化した画像を復号する処理（図１３）を実行する。
【０１０６】
図１３のステップＴ７０〜Ｔ７１において、コントローラ１０は、サムネール画像と画像購入金額情報とを読み出し、それらの情報を表示部１７に表示する。ステップＴ７２〜Ｔ７４において、ユーザがサムネール画像を選択したときは、カメラＩＤメモリ１１からカメラＩＤを読み出して、このカメラＩＤと選択した画像の画像ＩＤとを管理サーバ２に送信する。
【０１０７】
管理サーバ２のコントローラ３０は、ステップＰ７０において、カメラＩＤを認証して登録されているカメラＩＤかどうかを調べる。そして、ステップＰ７１〜Ｐ７２において、送信されたカメラＩＤと選択した画像の画像ＩＤとに基づいて復号キーを読み出し、この復号キーと画像ＩＤをデジタルカメラ１に送信する。
【０１０８】
デジタルカメラ１のコントローラ１０は、ステップＴ７５〜Ｔ７７において、画像ＩＤに対応する暗号化された原画像を読み出して、復号キーを用いて原画像を復号する。そして、復号した原画像とサムネール画像とを関連付けて画像メモリに記憶する。
【０１０９】
一方、管理サーバ２では、課金処理を実行する。即ち、ステップＰ７３〜Ｐ７５において、画像合計購入金額を計算して、その金額を利用者の決済口座番号から引き落とす。そして、ステップＰ７６〜Ｐ７８において、領収書を作成してデジタルカメラ１に送信し、売り上げ情報を管理ＤＢ３６に記憶する。
【０１１０】
デジタルカメラ１は、ステップＴ７８において、送信された領収書を保存して、リターンする。
【０１１１】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【０１１２】
更に、各機能は図示しない記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。
【０１１３】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【０１１４】
【図１】本発明の実施の形態の撮影装置とサーバ装置を備えた撮影管理システムの基本構成例を示すブロック図。
【図２】印刷可能な撮影管理システムの構成例を示すブロック図。
【図３】撮影管理システムの画像処理動作時の構成例を示すブロック図。
【図４】撮影管理システムの画像暗号化処理動作時の構成例を示すブロック図。
【図５】ユーザが利用者として登録を受け、撮影した画像を購入するまでの処理手順を示すフロー図。
【図６】利用者登録・カメラＩＤ発行処理の手順を示すフロー図。
【図７】撮影・画像保存処理の手順を示すフロー図。
【図８】撮影・画像保存処理の手順を示すフロー図。
【図９】撮影画像購入処理の手順を示すフロー図。
【図１０】印刷を注文する処理手順を示すフロー図。
【図１１】撮影画像を暗号化してデジタルカメラに保存する処理手順を示すフロー図。
【図１２】撮影画像を暗号化してデジタルカメラに保存する処理手順を示すフロー図。
【図１３】暗号化した画像を復号する処理手順を示すフロー図。
【符号の説明】
【０１１５】
１…デジタルカメラ、２…管理サーバ、３…通信回線、１０…コントローラ、１２…通信部、１２ａ…受信部、１２ｂ…通信部、１３…許可レベル判定部、１５…縮小画像生成部、１６…画像メモリ、１７…表示部、２０…画像ＩＤ生成部、２１…画像処理部、２２…暗号・復号部、３０…コントローラ、３１…許可レベル設定部、３２…許可信号生成部、３３ａ…送信部、３３ｂ…通信部、３４…管理ＩＤ生成部、３５…画像情報ＤＢ部、３６…管理ＤＢ部、３８…通信部、３９…画像処理部、４０…透かし生成部、４１…暗号・復号キー生成部。
【図１】
2006197118.tif 000003
【図２】
2006197118.tif 000004
【図３】
2006197118.tif 000005
【図４】
2006197118.tif 000006
【図５】
2006197118.tif 000007
【図６】
2006197118.tif 000008
【図７】
2006197118.tif 000009
【図８】
2006197118.tif 000010
【図９】
2006197118.tif 000011
【図１０】
2006197118.tif 000012
【図１１】
2006197118.tif 000013
【図１２】
2006197118.tif 000014
【図１３】
2006197118.tif 000015